(57)【要約】【課題】  トロイダル型垂直偏向コイルを搭載したカラー受像管装置において、ＹＶ及び上下台形歪の調整とリンギングの抑制とを両立させる。【解決手段】  垂直偏向コイルは、上側コア１０ａ上の上側コア左側コイル４９及び上側コア右側コイル５１と、下側コア１０ｂ上の下側コア左側コイル４８及び下側コア右側コイル５２とからなる。ある瞬間に垂直偏向電流は、第１端子Ｌ１から、下側コア左側コイル４８、第１タップＴ１、上側コア左側コイル４９、第２タップＴ２、上側コア右側コイル５１、第３タップＴ３、下側コア右側コイル５２、第２端子Ｌ２へと流れる。第１タップＴ１又は第３タップＴ３に、コンデンサ６２と抵抗６３とが直列接続されたＣＲダンピングが接続される。第２タップＴ２には差動抵抗６５が接続される。【選択図】  図２
2007095476.tif 000002
【特許請求の範囲】
【請求項１】
陰極線管と、前記陰極線管の外周面上に搭載された偏向ヨークとを備え、電子銃から放射されたインライン方向に並んだ３本の電子ビームが、前記偏向ヨークが発する水平偏向磁界及び垂直偏向磁界により偏向されて、スクリーン上にカラー画像が表示されるカラー受像管装置であって、
前記偏向ヨークは、前記水平偏向磁界を発する水平偏向コイルと、前記垂直偏向磁界を発する垂直偏向コイルと、フェライトコアとを備え、
前記陰極線管の管軸と直交し、前記インライン方向と平行な軸をＸ軸、前記管軸及び前記Ｘ軸と直交する軸をＹ軸とし、前記偏向ヨークを前記管軸と平行に前記スクリーン側から見たとき、前記フェライトコアはＸ軸に対して上側の上側コアと下側の下側コアとからなり、前記垂直偏向コイルの巻線は、前記上側コア及び前記下側コアにそれぞれトロイダル巻きされており、
前記垂直偏向コイルは、前記下側コアの前記Ｙ軸に対して左側の部分に巻装された下側コア左側コイルと、前記上側コアの前記Ｙ軸に対して左側の部分に巻装された上側コア左側コイルと、前記上側コアの前記Ｙ軸に対して右側の部分に巻装された上側コア右側コイルと、前記下側コアの前記Ｙ軸に対して右側の部分に巻装された下側コア右側コイルとからなり、
前記下側コア左側コイルの巻線の一端は前記垂直偏向コイルに電力を供給する第１端子に接続され、その他端は第１タップに接続されており、
前記上側コア左側コイルの巻線の一端は前記第１タップに接続され、その他端は第２タップに接続されており、
前記上側コア右側コイルの巻線の一端は前記第２タップに接続され、その他端は第３タップに接続されており、
前記下側コア右側コイルの巻線の一端は前記第３タップに接続され、その他端は前記垂直偏向コイルに電力を供給する第２端子に接続されており、
前記第１タップ又は前記第３タップに、コンデンサと抵抗とが直列接続されたＣＲダンピングの一端が接続されており、
前記第２タップに差動抵抗が接続されて、前記下側コア左側コイル及び前記上側コア左側コイルからなる左側コイル群を流れる電流と、前記上側コア右側コイル及び前記下側コア右側コイルからなる右側コイル群を流れる電流とのバランス調整が可能であることを特徴とするカラー受像管装置。
【請求項２】
陰極線管と、前記陰極線管の外周面上に搭載された偏向ヨークとを備え、電子銃から放射されたインライン方向に並んだ３本の電子ビームが、前記偏向ヨークが発する水平偏向磁界及び垂直偏向磁界により偏向されて、スクリーン上にカラー画像が表示されるカラー受像管装置であって、
前記偏向ヨークは、前記水平偏向磁界を発する水平偏向コイルと、前記垂直偏向磁界を発する垂直偏向コイルと、フェライトコアとを備え、
前記陰極線管の管軸と直交し、前記インライン方向と平行な軸をＸ軸、前記管軸及び前記Ｘ軸と直交する軸をＹ軸とし、前記偏向ヨークを前記管軸と平行に前記スクリーン側から見たとき、前記フェライトコアはＸ軸に対して上側の上側コアと下側の下側コアとからなり、前記垂直偏向コイルの巻線は、前記上側コア及び前記下側コアにそれぞれトロイダル巻きされており、
前記垂直偏向コイルは、前記上側コアの前記Ｙ軸に対して右側の部分に巻装された上側コア右側コイルと、前記下側コアの前記Ｙ軸に対して右側の部分に巻装された下側コア右側コイルと、前記下側コアの前記Ｙ軸に対して左側の部分に巻装された下側コア左側コイルと、前記上側コアの前記Ｙ軸に対して左側の部分に巻装された上側コア左側コイルとからなり、
前記上側コア右側コイルの巻線の一端は前記垂直偏向コイルに電力を供給する第１端子に接続され、その他端は第１タップに接続されており、
前記下側コア右側コイルの巻線の一端は前記第１タップに接続され、その他端は第２タップに接続されており、
前記下側コア左側コイルの巻線の一端は前記第２タップに接続され、その他端は第３タップに接続されており、
前記上側コア左側コイルの巻線の一端は前記第３タップに接続され、その他端は前記垂直偏向コイルに電力を供給する第２端子に接続されており、
前記第１タップ又は前記第３タップに、コンデンサと抵抗とが直列接続されたＣＲダンピングの一端が接続されており、
前記第２タップに差動抵抗が接続されて、前記上側コア右側コイル及び前記下側コア右側コイルからなる右側コイル群を流れる電流と、前記下側コア左側コイル及び前記上側コア左側コイルからなる左側コイル群を流れる電流とのバランス調整が可能であることを特徴とするカラー受像管装置。
【請求項３】
前記左側コイル群及び前記右側コイル群には、それぞれ固定抵抗が並列接続されている請求項１又は２に記載のカラー受像管装置。
【請求項４】
前記ＣＲダンピングの他端は、前記第１端子又は前記第２端子に接続されている請求項１又は２に記載のカラー受像管装置。
【請求項５】
前記フェライトコアが、その内側面に凸部が形成されたスロットコアである請求項１又は２に記載のカラー受像管装置。
【発明の詳細な説明】
【技術分野】
【０００１】
本発明は、カラー受像管装置に関する。詳しくはインライン型電子銃を備えたカラー受像管装置に関する。
【背景技術】
【０００２】
カラー受像管装置は、陰極線管と、その外周面上に搭載された偏向ヨークとを備える。陰極線管は、パネルと漏斗状のファンネルとが接合されてなる真空外囲器を有する。ファンネルのネック内に収納された電子銃から放射されたインライン方向に並んだ３本の電子ビームは、偏向ヨークが発する水平偏向磁界及び垂直偏向磁界により偏向されて、シャドウマスクのアパーチャ（貫通孔）を通過して、パネルの内面に形成された蛍光体スクリーンを走査してカラー画像を表示する。
【０００３】
偏向ヨークは、水平偏向磁界を発する水平偏向コイルと、垂直偏向磁界を発する垂直偏向コイルと、フェライトコアと、水平偏向コイルと垂直偏向コイルとの間に配置されて両者を絶縁する絶縁枠とを備える。
【０００４】
偏向ヨークとしては、サドル−トロイダル型偏向ヨーク（ＳＴＤＹ）が知られている。図６は、サドル−トロイダル型偏向ヨークの垂直偏向コイルを示した断面図である。図６において、Ｘ軸は陰極線管の管軸と直交し、インライン方向と平行な軸（水平軸）であり、Ｙ軸は管軸及びＸ軸と直交する軸（垂直軸）である。図６は、管軸と平行にスクリーン側から見た断面図である。サドル−トロイダル型偏向ヨークでは、水平偏向コイル（図示せず）は、金型を用いて巻線が巻回されたサドル型コイルであり、垂直偏向コイル１１は、フェライトコア１０に巻線が直接巻回されたトロイダル型コイルである。全体として略漏斗形状のコア１０は、Ｘ軸に対して上側の上側コア１０ａと下側の下側コア１０ｂとに分割されている。従って、垂直偏向コイル１１も、上側コア１０ａに巻回された上側コイル１１ａと下側コア１０ｂに巻回された下側コイル１１ｂとに分割されている。
【０００５】
まず、コア１０がＸ軸に対して上下に分割されている理由について説明する。垂直偏向コイル１１の巻線はＸ軸に対して約±２０°の範囲を除く領域に巻回されることで最適磁界分布が得られる。一方、コア１０を２分割して得られる一対のコア半体の一方に巻線をトロイダル巻きする際には、このコア半体を、その一方の分割面近傍で保持する必要がある。コア半体を保持するために必要な領域は分割面から１８°の範囲であり、この領域は巻線を巻回することができないデッドゾーンとなる。
【０００６】
コア１０をＹ軸に対して左右に分割した場合、デッドゾーンは分割面であるＹ軸に対して±１８°の範囲となり、Ｙ軸上及びその近傍に巻線を巻装することができず、所望の垂直偏向磁界分布が得られない。
【０００７】
一方、コア１０をＸ軸に対して上下に分割した場合、デッドゾーンは分割面であるＸ軸に対して±１８°の範囲となる。ところが、上記のように垂直偏向コイル１１の巻線はＸ軸に対して約±２０°の範囲を除く領域に巻回されれば良いので、このデッドゾーンは所望の垂直偏向磁界分布を得ることに対して問題とならない。
【０００８】
従って、一般に、コア１０はＸ軸に対して上下に分割されている。
【０００９】
次に、差動抵抗を使ったＹＶ及び台形歪の調整について説明する。ＹＶとはミスコンバーゼンスのパターンの一種であり、Ｙ軸上の上部及び下部においてＲ（赤）とＢ（青）とが垂直方向に重なり合わずに位置ずれしたパターンのことをいう。
【００１０】
垂直偏向コイルがサドル型の場合、一般に垂直偏向コイルはＸ軸に対して左右に分割される。このため、図７に示したように、Ｘ軸に対して左側の左側コイル１２ａと右側の右側コイル１２ｂとをタップＴを介して直列接続し、タップＴに差動抵抗１３を接続することにより左側コイル１２ａに流れる電流と右側コイル１２ｂに流れる電流とのバランス調整を行うことができる。これにより、垂直偏向コイルに擬似的に左右ティルトの効果を与えることができる。従って、ＹＶミスコンバーゼンスと上下台形歪とを可変させることができ、結果として陰極線管と偏向ヨークとを組み合わせたときに発生するＹＶ及び台形歪を最適調整することができる。
【００１１】
ところが、垂直偏向コイルがトロイダル型の場合、上述したようにコア１０が上下に分割されていることに対応して垂直偏向コイルも上下に分割されている。この場合にＹＶミスコンバーゼンスと上下台形歪とを可変させるには、上下の各コイルの巻線の途中にタップを設けて、上下の各コイルをＹ軸に対して左右に分割し、Ｘ軸及びＹ軸により分割された４つの領域内のコイルをＸ軸に対して対象となるように結線する。こうすれば、左側の上下一対のコイルに流れる電流と右側の上下一対のコイルに流れる電流とのバランスを差動抵抗を用いて調整することができる。このとき、４つの領域内の各コイルの巻線は、通常、全て同方向にトロイダル巻きされる。
【００１２】
このような垂直偏向コイルは、その結線のしかたにより図８、図９に示す２通りがある。
【００１３】
図８（Ａ）は垂直偏向コイルを図６と同様に示した断面図、図８（Ｂ）はその結線図である。図８（Ａ）にはある時点での垂直偏向コイルに流れる電流の方向を各巻線断面内に示している。
【００１４】
図８（Ａ）に示すように、この垂直偏向コイルの巻線は、Ｘ軸に対して上下に分割された一対のコア１０ａ，１０ｂにそれぞれトロイダル巻きされている。垂直偏向コイルは、上側コア１０ａのＹ軸に対して左側の部分に巻装された上側コア左側コイル１４と、下側コア１０ｂのＹ軸に対して左側の部分に巻装された下側コア左側コイル１５と、上側コア１０ａのＹ軸に対して右側の部分に巻装された上側コア右側コイル１６と、下側コア１０ｂのＹ軸に対して右側の部分に巻装された下側コア右側コイル１７とからなる。
【００１５】
図８（Ｂ）に示すように、上側コア左側コイル１４の巻線の一端１８は垂直偏向コイルに電力を供給する第１端子Ｌ１に接続され、その他端１９は第１タップＴ１に接続されている。下側コア左側コイル１５の巻線の一端２０は第１タップＴ１に接続され、その他端２１は第２タップＴ２に接続されている。上側コア右側コイル１６の巻線の一端２２は第２タップＴ２に接続され、その他端２３は第３タップＴ３に接続されている。下側コア右側コイル１７の巻線の一端２４は第３タップＴ３に接続され、その他端２５は垂直偏向コイルに電力を供給する第２端子Ｌ２に接続されている。第１端子Ｌ１及び第２端子Ｌ２は垂直偏向回路に接続されて、所定の垂直偏向電圧が印加される。
【００１６】
第２タップＴ２は差動抵抗４０に接続されている。これにより、上側コア左側コイル１４及び下側コア左側コイル１５からなる左側コイル群３８を流れる電流と、上側コア右側コイル１６及び下側コア右側コイル１７からなる右側コイル群３９を流れる電流とのバランスを調整することにより、ＹＶ及び上下台形歪を調整することができる。
【００１７】
また、左側コイル群３８及び右側コイル群３９のそれぞれに対して１００Ωの固定抵抗４１，４２を並列接続することにより、ダンピング効果を図っている。
【００１８】
図９（Ａ）は垂直偏向コイルを図６と同様に示した断面図、図９（Ｂ）はその結線図である。図９（Ａ）にはある時点での垂直偏向コイルに流れる電流の方向を各巻線断面内に示している。
【００１９】
図９（Ａ）に示すように、この垂直偏向コイルの巻線は、Ｘ軸に対して上下に分割された一対のコア１０ａ，１０ｂにそれぞれトロイダル巻きされている。垂直偏向コイルは、下側コア１０ｂのＹ軸に対して左側の部分に巻装された下側コア左側コイル２６と、上側コア１０ａのＹ軸に対して左側の部分に巻装された上側コア左側コイル２７と、下側コア１０ｂのＹ軸に対して右側の部分に巻装された下側コア右側コイル２８と、上側コア１０ａのＹ軸に対して右側の部分に巻装された上側コア右側コイル２９とからなる。
【００２０】
図９（Ｂ）に示すように、下側コア左側コイル２６の巻線の一端３０は垂直偏向コイルに電力を供給する第１端子Ｌ１に接続され、その他端３１は第１タップＴ１に接続されている。上側コア左側コイル２７の巻線の一端３２は第１タップＴ１に接続され、その他端３３は第２タップＴ２に接続されている。下側コア右側コイル２８の巻線の一端３４は第２タップＴ２に接続され、その他端３５は第３タップＴ３に接続されている。上側コア右側コイル２９の巻線の一端３６は第３タップＴ３に接続され、その他端３７は垂直偏向コイルに電力を供給する第２端子Ｌ２に接続されている。第１端子Ｌ１及び第２端子Ｌ２は垂直偏向回路に接続されて、所定の垂直偏向電圧が印加される。
【００２１】
第２タップＴ２は差動抵抗４５に接続されている。これにより、下側コア左側コイル２６及び上側コア左側コイル２７からなる左側コイル群４３を流れる電流と、下側コア右側コイル２８及び上側コア右側コイル２９からなる右側コイル群４４を流れる電流とのバランスを調整することにより、ＹＶ及び上下台形歪を調整することができる。
【００２２】
また、左側コイル群４３及び右側コイル群４４のそれぞれに対して１００Ωの固定抵抗４６，４７を並列接続することにより、ダンピング効果を図っている。
【００２３】
しかしながら、上記図８及び図９の垂直偏向コイルでは、上側コア１０ａ及び下側コア１０ｂのそれぞれのＹ軸近傍において、Ｙ軸を挟む左右のコイル間の電圧差が、層間電圧差よりも大きくなり、この電圧差によりリンギング現象が発生するという問題がある。
【００２４】
以下にこれを詳説する。
【００２５】
図８（Ａ）及び図８（Ｂ）に示した垂直偏向コイルでは、ある瞬間には、垂直偏向電流は、第１端子Ｌ１から、上側コア左側コイル１４、第１タップＴ１、下側コア左側コイル１５、第２タップＴ２、上側コア右側コイル１６、第３タップＴ３、下側コア右側コイル１７を順に通過し、第２端子Ｌ２に流れる。また、別のある瞬間には、垂直偏向電流は、第２端子Ｌ２から、上記と逆の経路をたどって第１端子Ｌ１に流れる。
【００２６】
ここで、図８（Ａ）に示すように、上側コア左側コイル１４と上側コア右側コイル１６とは、上側コア１０ａ上にＹ軸を挟んで接近して巻装されており、両コイルの巻線間の距離は小さい。ところが、図８（Ｂ）に示されているように、上側コア左側コイル１４と上側コア右側コイル１６との間には下側コア左側コイル１５が介在している。従って、互いに隣り合う上側コア左側コイル１４と上側コア右側コイル１６との間には、層間電圧差を遙かに超える大きな電圧差が生じる。ここで、「層間電圧差」とは、コイルの第Ｎ層目の巻線と第Ｎ＋１層目の巻線との間の電圧差をいう。
【００２７】
同様に、図８（Ａ）に示すように、下側コア左側コイル１５と下側コア右側コイル１７とは、下側コア１０ｂ上にＹ軸を挟んで接近して巻装されており、両コイルの巻線間の距離は小さい。ところが、図８（Ｂ）に示されているように、下側コア左側コイル１５と下側コア右側コイル１７との間には上側コア右側コイル１６が介在している。従って、互いに隣り合う下側コア左側コイル１５と下側コア右側コイル１７との間にも、層間電圧差を遙かに超える大きな電圧差が生じる。
【００２８】
同様に、図９（Ａ）及び図９（Ｂ）に示した垂直偏向コイルにおいても、互いに隣り合う上側コア左側コイル２７と上側コア右側コイル２９との間、及び、互いに隣り合う下側コア左側コイル２６と下側コア右側コイル２８との間に、層間電圧差を遙かに超える大きな電圧差が生じる。
【００２９】
すなわち、図８及び図９のいずれの垂直偏向コイルにおいても、上側コア１０ａ上にＹ軸を挟んで互いに接近して配置された左右のコイル間、及び下側コア１０ｂ上にＹ軸を挟んで互いに接近して配置された左右のコイル間には、層間電圧差を遙かに超える大きな電圧差が生じており、この電圧差によって電荷が帯電し、リンギング現象が引き起こされる。
【００３０】
偏向ヨークにおけるリンギングを抑制する技術が特許文献１に記載されている。すなわち、特許文献１には、多層巻線法により形成された垂直偏向コイルにおいて、巻線の途中に一対のタップを設け、これに抵抗及びコンデンサからなるダンピング回路を並列接続することが記載されている。ここで、多層巻線法とは、コア上の最終的に巻線を配置すべき全領域に第Ｎ層目として巻線を巻回し、次いで、第Ｎ層目の巻き始め位置に戻って、第Ｎ層目の上に重ねて第Ｎ＋１層目として巻線を巻回する巻装方法である。これにより、水平偏向コイルが発する水平偏向磁界によって垂直偏向コイルに誘起される電圧に起因するリンギングと呼ばれるノイズを、上記ダンピング回路をノイズ成分除去のためのフィルターとして機能させることにより、抑制することができる。
【００３１】
ところが、特許文献１の技術では、水平偏向磁界によって垂直偏向コイルに生じるリンギングを抑制することはできるが、図８及び図９の垂直偏向コイル内の相互作用で生じる上記のリンギングを抑制することはできない。また、特許文献１に記載された多層巻線法により形成されたトロイダル型垂直偏向コイルを、図８及び図９のようにＹ軸に対して左右に分割することは困難である。従って、ＹＶ及び上下台形歪を調整することができない。
【特許文献１】特許第３２７１６７０号明細書
【発明の開示】
【発明が解決しようとする課題】
【００３２】
以上のように、従来、トロイダル型垂直偏向コイルを搭載したカラー受像管装置において、ＹＶ及び上下台形歪の調整と、リンギングの抑制とを両立させることは困難であった。
【００３３】
本発明は、リンギングの発生を抑制し、且つＹＶ及び上下台形歪を調整することが可能な、トロイダル型垂直偏向コイルを搭載したカラー受像管装置を提供することを目的とする。
【課題を解決するための手段】
【００３４】
本発明のカラー受像管装置は、陰極線管と、前記陰極線管の外周面上に搭載された偏向ヨークとを備える。電子銃から放射されたインライン方向に並んだ３本の電子ビームが、前記偏向ヨークが発する水平偏向磁界及び垂直偏向磁界により偏向されて、スクリーン上にカラー画像が表示される。
【００３５】
前記偏向ヨークは、前記水平偏向磁界を発する水平偏向コイルと、前記垂直偏向磁界を発する垂直偏向コイルと、フェライトコアとを備える。
【００３６】
前記陰極線管の管軸と直交し、前記インライン方向と平行な軸をＸ軸、前記管軸及び前記Ｘ軸と直交する軸をＹ軸とし、前記偏向ヨークを前記管軸と平行に前記スクリーン側から見たとき、前記フェライトコアはＸ軸に対して上側の上側コアと下側の下側コアとからなる。前記垂直偏向コイルの巻線は、前記上側コア及び前記下側コアにそれぞれトロイダル巻きされている。
【００３７】
本発明の第１のカラー受像管装置では、前記垂直偏向コイルは、前記下側コアの前記Ｙ軸に対して左側の部分に巻装された下側コア左側コイルと、前記上側コアの前記Ｙ軸に対して左側の部分に巻装された上側コア左側コイルと、前記上側コアの前記Ｙ軸に対して右側の部分に巻装された上側コア右側コイルと、前記下側コアの前記Ｙ軸に対して右側の部分に巻装された下側コア右側コイルとからなる。
【００３８】
前記下側コア左側コイルの巻線の一端は前記垂直偏向コイルに電力を供給する第１端子に接続され、その他端は第１タップに接続されており、前記上側コア左側コイルの巻線の一端は前記第１タップに接続され、その他端は第２タップに接続されており、前記上側コア右側コイルの巻線の一端は前記第２タップに接続され、その他端は第３タップに接続されており、前記下側コア右側コイルの巻線の一端は前記第３タップに接続され、その他端は前記垂直偏向コイルに電力を供給する第２端子に接続されている。
【００３９】
前記第１タップ又は前記第３タップに、コンデンサと抵抗とが直列接続されたＣＲダンピングの一端が接続されている。
【００４０】
前記第２タップに差動抵抗が接続されて、前記下側コア左側コイル及び前記上側コア左側コイルからなる左側コイル群を流れる電流と、前記上側コア右側コイル及び前記下側コア右側コイルからなる右側コイル群を流れる電流とのバランス調整が可能である。
【００４１】
本発明の第２のカラー受像管装置では、前記垂直偏向コイルは、前記上側コアの前記Ｙ軸に対して右側の部分に巻装された上側コア右側コイルと、前記下側コアの前記Ｙ軸に対して右側の部分に巻装された下側コア右側コイルと、前記下側コアの前記Ｙ軸に対して左側の部分に巻装された下側コア左側コイルと、前記上側コアの前記Ｙ軸に対して左側の部分に巻装された上側コア左側コイルとからなる。
【００４２】
前記上側コア右側コイルの巻線の一端は前記垂直偏向コイルに電力を供給する第１端子に接続され、その他端は第１タップに接続されており、前記下側コア右側コイルの巻線の一端は前記第１タップに接続され、その他端は第２タップに接続されており、前記下側コア左側コイルの巻線の一端は前記第２タップに接続され、その他端は第３タップに接続されており、前記上側コア左側コイルの巻線の一端は前記第３タップに接続され、その他端は前記垂直偏向コイルに電力を供給する第２端子に接続されている。
【００４３】
前記第１タップ又は前記第３タップに、コンデンサと抵抗とが直列接続されたＣＲダンピングの一端が接続されている。
【００４４】
前記第２タップに差動抵抗が接続されて、前記上側コア右側コイル及び前記下側コア右側コイルからなる右側コイル群を流れる電流と、前記下側コア左側コイル及び前記上側コア左側コイルからなる左側コイル群を流れる電流とのバランス調整が可能である。
【発明の効果】
【００４５】
本発明によれば、リンギングの発生を抑制し、且つＹＶ及び上下台形歪を調整することが可能な、トロイダル型垂直偏向コイルを搭載したカラー受像管装置を実現できる。従って、ＹＶや上下台形歪の小さい高品位の画像を表示することができる。
【発明を実施するための最良の形態】
【００４６】
本発明のカラー受像管装置において、前記左側コイル群及び前記右側コイル群には、それぞれ固定抵抗が並列接続されていることが好ましい。これにより、ダンピング効果を得ることができる。
【００４７】
前記ＣＲダンピングの他端は、前記第１端子又は前記第２端子に接続されていることが好ましい。これにより、リンギングの発生を一層抑制することができる。
【００４８】
前記フェライトコアが、その内側面に凸部が形成されたスロットコアであることが好ましい。これにより、偏向感度を高めることができ偏向電力を低減できる。また、偏向ヨークの発熱を低減することができる。
【００４９】
以下、本発明を図面を用いて詳細に説明する。
【００５０】
図１は本発明の一実施形態に係るカラー受像管装置の外観図である。
【００５１】
カラー受像管装置は、陰極線管１と、その外周面上に搭載された偏向ヨーク２とを備える。陰極線管１は、パネル３と漏斗状のファンネル４とが接合されてなる真空外囲器を有する。ファンネル４のネック４ａ内に収納された電子銃３から放射されたインライン方向に並んだ３本の電子ビームは、偏向ヨーク２が発する水平偏向磁界及び垂直偏向磁界により偏向されて、シャドウマスク（図示せず）のアパーチャ（貫通孔）を通過して、パネル３の内面に形成された蛍光体スクリーン（図示せず）を走査してカラー画像を表示する。蛍光体スクリーン中央での３本の電子ビームのコンバーゼンスを向上させるため、ネック部４ａにはコンバーゼンスヨーク５が搭載されている。
【００５２】
偏向ヨーク２は、サドル−トロイダル型偏向ヨーク（ＳＴＤＹ）であって、水平偏向磁界を発する水平偏向コイルと、垂直偏向磁界を発する垂直偏向コイルと、フェライトコアと、水平偏向コイルと垂直偏向コイルとの間に配置されて両者を絶縁する絶縁枠とを備える。水平偏向コイルは、金型を用いて巻線が巻回されたサドル型コイルであり、垂直偏向コイルは、フェライトコアに巻線が直接巻回されたトロイダル型コイルである。
【００５３】
以下の説明の便宜のために、図示したように陰極線管１の管軸をＺ軸、Ｚ軸と直交し、上記インライン方向（水平方向）と平行な軸（水平軸）をＸ軸、Ｚ軸及びＸ軸と直交する軸（垂直軸）をＹ軸とする。本発明において、「右側」及び「左側」は、Ｚ軸と平行にカラー受像管装置をパネル１側から見た状態で判断され、特に記載がある場合を除いて、Ｙ軸を基準に判断される。また、本発明において、「上側」及び「下側」は、特に記載がある場合を除いて、Ｘ軸を基準に判断される。
【００５４】
（実施の形態１）
図２（Ａ）は本発明の実施の形態１に係るトロイダル型垂直偏向コイルの、管軸と平行にスクリーン側から見た断面図、図２（Ｂ）はその結線図である。図２（Ａ）にはある時点での垂直偏向コイルに流れる電流の方向を各巻線断面内に示している。
【００５５】
従来の偏向ヨークと同様に、全体として略漏斗形状のコア１０は、Ｘ軸に対して上側の上側コア１０ａと下側の下側コア１０ｂとに分割されている。垂直偏向コイルの巻線は、上側コア１０ａ及び下側コア１０ｂにそれぞれトロイダル巻きされている。
【００５６】
図２（Ａ）に示すように、垂直偏向コイルは、下側コア１０ｂのＹ軸に対して左側の部分に巻装された下側コア左側コイル４８と、上側コア１０ａのＹ軸に対して左側の部分に巻装された上側コア左側コイル４９と、上側コア１０ａのＹ軸に対して右側の部分に巻装された上側コア右側コイル５１と、下側コア１０ｂのＹ軸に対して右側の部分に巻装された下側コア右側コイル５２とからなる。
【００５７】
図２（Ｂ）に示すように、下側コア左側コイル４８の巻線の一端５３は垂直偏向コイルに電力を供給する第１端子Ｌ１に接続され、その他端５４は第１タップＴ１に接続されている。上側コア左側コイル４９の巻線の一端５５は第１タップＴ１に接続され、その他端５６は第２タップＴ２に接続されている。上側コア右側コイル５１の巻線の一端５７は第２タップＴ２に接続され、その他端５８は第３タップＴ３に接続されている。下側コア右側コイル５２の巻線の一端５９は第３タップＴ３に接続され、その他端６０は垂直偏向コイルに電力を供給する第２端子Ｌ２に接続されている。第１端子Ｌ１及び第２端子Ｌ２は垂直偏向回路に接続されて、所定の垂直偏向電圧が印加される。
【００５８】
本実施の形態の垂直偏向コイルでは、ある瞬間には、垂直偏向電流は、第１端子Ｌ１から、下側コア左側コイル４８、第１タップＴ１、上側コア左側コイル４９、第２タップＴ２、上側コア右側コイル５１、第３タップＴ３、下側コア右側コイル５２を順に通過し、第２端子Ｌ２に流れる。また、別のある瞬間には、垂直偏向電流は、第２端子Ｌ２から、上記と逆の経路をたどって第１端子Ｌ１に流れる。
【００５９】
上側コア１０ａ上にＹ軸を挟んで接近して巻装された上側コア左側コイル４９と上側コア右側コイル５１とは直接接続されている。従って、上側コア左側コイル４９と上側コア右側コイル５１との間には層間電圧差に相当する小さな電圧差が生じるにすぎない。従って、リンギングはほとんど発生せず、また、両コイル４９，５１間の第２タップＴ２にコンデンサと抵抗とが直列接続されたＣＲダンピングを接続する必要はない。
【００６０】
一方、下側コア１０ｂ上にＹ軸を挟んで接近して巻装された下側コア左側コイル４８と下側コア右側コイル５２との間には、上側コア左側コイル４９及び上側コア右側コイル５１が介在している。従って、互いに隣り合う下側コア左側コイル４８と下側コア右側コイル５２との間には、層間電圧差を遙かに超える大きな電圧差が生じる。本実施の形態では、下側コア左側コイル４８が接続される第１タップＴ１にコンデンサ６２と抵抗６３とが直列接続されたＣＲダンピングの一端を接続することで、リンギングを抑制する。上記ＣＲダンピングの他端は第２端子Ｌ２に接続される。一実施例では、コンデンサ６２の静電容量Ｃを４７０ｐＦ、抵抗６３の抵抗値Ｒを２ｋΩとしたとき、リンギングを最も抑制することができた。なお、上記ＣＲダンピングの他端を第１端子Ｌ１に接続しても良く、同様の効果が得られる。
【００６１】
図２（Ｂ）では、コンデンサ６２と抵抗６３とが直列接続されたＣＲダンピングの一端を第１タップＴ１に接続したが、図３に示すようにＣＲダンピングの一端を下側コア右側コイル５２が接続される第３タップＴ３に接続しても良く、この場合も上記と同様の効果が得られる。ＣＲダンピングの他端は第２端子Ｌ２に接続される。なお、図３において、ＣＲダンピングの他端を第１端子Ｌ１に接続しても良く、同様の効果が得られる。
【００６２】
上記のように、本実施の形態では、コンデンサと抵抗とが直列接続されたただ１つのＣＲダンピングを接続するだけでリンギングを抑制することが可能である。
【００６３】
これに対して、図８及び図９に示した従来の偏向ヨークにおいてリンギングを抑制するためには、図８（Ｂ）及び図９（Ｂ）において、第１タップＴ１及び第３タップＴ３のそれぞれに、コンデンサと抵抗とが直列接続されたＣＲダンピングの一端を接続する方法が考えられる。ところが、この方法では、リンギングを抑制するために２つのＣＲダンピングが必要となる。
【００６４】
本実施の形態では、垂直偏向コイルを構成する４つのコイルの結線方法を工夫することにより、Ｙ軸を挟んで隣り合う２つのコイル間の電圧差が層間電圧差よりも大きくなる箇所を１つのみに低減できた。その結果、ただ１つのＣＲダンピングを接続するだけで、安価且つ効果的にリンギングを抑制することができる。
【００６５】
図２（Ｂ）及び図３に示すように、第２タップＴ２は差動抵抗６５に接続されている。これにより、下側コア左側コイル４８及び上側コア左側コイル４９からなる左側コイル群５０を流れる電流と、上側コア右側コイル５１及び下側コア右側コイル５２からなる右側コイル群６１を流れる電流とのバランスを調整することにより、ＹＶ及び上下台形歪を調整することができる。
【００６６】
また、左側コイル群５０及び右側コイル群６１のそれぞれに対して１００Ωの固定抵抗６４ａ，６４ｂが並列接続されている。固定抵抗６４ａ，６４ｂは差動抵抗６５と直列接続されている。これにより、ダンピング効果が得られる。
【００６７】
（実施の形態２）
本実施の形態３は、垂直偏向コイルを構成する４つのコイルの結線方法が異なる点を除いて実施の形態１と同じである。
【００６８】
図４（Ａ）は本発明の実施の形態２に係るトロイダル型垂直偏向コイルの、管軸と平行にスクリーン側から見た断面図、図４（Ｂ）はその結線図である。図４（Ａ）にはある時点での垂直偏向コイルに流れる電流の方向を各巻線断面内に示している。
【００６９】
従来の偏向ヨークと同様に、全体として略漏斗形状のコア１０は、Ｘ軸に対して上側の上側コア１０ａと下側の下側コア１０ｂとに分割されている。垂直偏向コイルの巻線は、上側コア１０ａ及び下側コア１０ｂにそれぞれトロイダル巻きされている。
【００７０】
図４（Ａ）に示すように、垂直偏向コイルは、上側コア１０ａのＹ軸に対して右側の部分に巻装された上側コア右側コイル６６と、下側コア１０ｂのＹ軸に対して右側の部分に巻装された下側コア右側コイル６７と、下側コ１０ｂアのＹ軸に対して左側の部分に巻装された下側コア左側コイル６８と、上側コア１０ａのＹ軸に対して左側の部分に巻装された上側コア左側コイル６９とからなる。
【００７１】
図４（Ｂ）に示すように、上側コア右側コイル６６の巻線の一端７６は垂直偏向コイルに電力を供給する第１端子Ｌ１に接続され、その他端７７は第１タップＴ１に接続されている。下側コア右側コイル６７の巻線の一端７８は第１タップＴ１に接続され、その他端７９は第２タップＴ２に接続されている。下側コア左側コイル６８の巻線の一端８０は第２タップＴ２に接続され、その他端８１は第３タップＴ３に接続されている。上側コア左側コイル６９の巻線の一端８２は第３タップＴ３に接続され、その他端８３は垂直偏向コイルに電力を供給する第２端子Ｌ２に接続されている。第１端子Ｌ１及び第２端子Ｌ２は垂直偏向回路に接続されて、所定の垂直偏向電圧が印加される。
【００７２】
本実施の形態の垂直偏向コイルでは、ある瞬間には、垂直偏向電流は、第１端子Ｌ１から、上側コア右側コイル６６、第１タップＴ１、下側コア右側コイル６７、第２タップＴ２、下側コア左側コイル６８、第３タップＴ３、上側コア左側コイル６９を順に通過し、第２端子Ｌ２に流れる。また、別のある瞬間には、垂直偏向電流は、第２端子Ｌ２から、上記と逆の経路をたどって第１端子Ｌ１に流れる。
【００７３】
下側コア１０ｂ上にＹ軸を挟んで接近して巻装された下側コア右側コイル６７と下側コア左側コイル６８とは直接接続されている。従って、下側コア右側コイル６７と下側コア左側コイル６８との間には層間電圧差に相当する小さな電圧差が生じるにすぎない。従って、リンギングはほとんど発生せず、また、両コイル６７，６８間の第２タップＴ２にコンデンサと抵抗とが直列接続されたＣＲダンピングを接続する必要はない。
【００７４】
一方、上側コア１０ａ上にＹ軸を挟んで接近して巻装された上側コア右側コイル６６と上側コア左側コイル６９との間には、下側コア右側コイル６７及び下側コア左側コイル６８が介在している。従って、互いに隣り合う上側コア右側コイル６６と上側コア左側コイル６９との間には、層間電圧差を遙かに超える大きな電圧差が生じる。本実施の形態では、上側コア右側コイル６６が接続される第１タップＴ１にコンデンサ７２と抵抗７３とが直列接続されたＣＲダンピングの一端を接続することで、リンギングを抑制する。上記ＣＲダンピングの他端は第２端子Ｌ２に接続される。一実施例では、コンデンサ７２の静電容量Ｃを４７０ｐＦ、抵抗７３の抵抗値Ｒを２ｋΩとしたとき、リンギングを最も抑制することができた。なお、上記ＣＲダンピングの他端を第１端子Ｌ１に接続しても良く、同様の効果が得られる。
【００７５】
図４（Ｂ）では、コンデンサ７２と抵抗７３とが直列接続されたＣＲダンピングの一端を第１タップＴ１に接続したが、図５に示すようにＣＲダンピングの一端を上側コア左側コイル６９が接続される第３タップＴ３に接続しても良く、この場合も上記と同様の効果が得られる。ＣＲダンピングの他端は第２端子Ｌ２に接続される。なお、図５において、ＣＲダンピングの他端を第１端子Ｌ１に接続しても良く、同様の効果が得られる。
【００７６】
実施の形態１と同様に、本実施の形態でも、垂直偏向コイルを構成する４つのコイルの結線方法を工夫することにより、Ｙ軸を挟んで隣り合う２つのコイル間の電圧差が層間電圧差よりも大きくなる箇所を１つのみに低減できた。その結果、ただ１つのＣＲダンピングを接続するだけで、安価且つ効果的にリンギングを抑制することができる。
【００７７】
図４（Ｂ）及び図５に示すように、第２タップＴ２は差動抵抗７５に接続されている。これにより、上側コア右側コイル６６及び下側コア右側コイル６７からなる右側コイル群７０を流れる電流と、下側コア左側コイル６８及び上側コア左側コイル６９からなる左側コイル群７１を流れる電流とのバランスを調整することにより、ＹＶ及び上下台形歪を調整することができる。
【００７８】
また、右側コイル群７０及び左側コイル群７１のそれぞれに対して１００Ωの固定抵抗７４ａ，７４ｂが並列接続されている。固定抵抗７４ａ，７４ｂは差動抵抗７５と直列接続されている。これにより、ダンピング効果が得られる。
【００７９】
本発明において、フェライトコア１０が、その内側面に管軸に向かって突出した凸部（好ましくは畝状の凸部）を設けたスロットコアであっても良い。この場合、凸部間の凹部に、垂直偏向コイルの巻線を配置する。スロットコアを用いると、凸部を有しないフェライトコアに比べて、フェライトコアを陰極線管に近づけることができるため、偏向感度を高めることができ偏向電力の低減に有利である。また、垂直偏向コイルに磁束が鎖交しにくくなり、渦電流損失が低減して偏向ヨークの発熱を低減することができる。
【産業上の利用可能性】
【００８０】
本発明の利用分野は特に制限はないが、リンギングが抑制され、且つ、ＹＶ及び上下台形歪の調整が可能であるので、高品位な画像表示が要求されるテレビジョンまたはコンピュータディスプレイ等に好ましく利用することができる。
【図面の簡単な説明】
【００８１】
【図１】本発明の一実施形態に係るカラー受像管装置の外観図である。
【図２】図２（Ａ）は本発明の実施の形態１に係るトロイダル型垂直偏向コイルの断面図、図２（Ｂ）はその結線図である。
【図３】本発明の実施の形態１に係るトロイダル型垂直偏向コイルの別の結線図である。
【図４】図４（Ａ）は本発明の実施の形態２に係るトロイダル型垂直偏向コイルの断面図、図４（Ｂ）はその結線図である。
【図５】本発明の実施の形態２に係るトロイダル型垂直偏向コイルの別の結線図である。
【図６】従来のサドル−トロイダル型偏向ヨークの垂直偏向コイルを示した断面図である。
【図７】従来のサドル型垂直偏向コイルの結線図である。
【図８】図８（Ａ）はＹＶ及び台形歪の調整が可能な従来のトロイダル型垂直偏向コイルの一例の断面図、図８（Ｂ）はその結線図である。
【図９】図９（Ａ）はＹＶ及び台形歪の調整が可能な従来のトロイダル型垂直偏向コイルの別の例の断面図、図９（Ｂ）はその結線図である。
【符号の説明】
【００８２】
１  陰極線管
２  偏向ヨーク
３  パネル
４  ファンネル
４ａ  ネック
５  コンバーゼンスヨーク
１０  コア
１０ａ  上側コア
１０ｂ  下側コア
【図１】
2007095476.tif 000003
【図２】
2007095476.tif 000004
【図３】
2007095476.tif 000005
【図４】
2007095476.tif 000006
【図５】
2007095476.tif 000007
【図６】
2007095476.tif 000008
【図７】
2007095476.tif 000009
【図８】
2007095476.tif 000010
【図９】
2007095476.tif 000011